(57)【要約】      （修正有）【課題】肌ざわりがやわらかいため、まくらにも、首、頭、背中にもやわらかで、また、お風呂の中でもリラックスできる指圧具の提供。【解決手段】対をなす指圧用突起の上面に適度にやわらかいグミ状の樹脂皮膜をのせ指圧用突起の下面に、ネジ式交換部材で作られた吸盤で構成された指圧具。また、従来既製の、個々の指圧突起形状を合わせることによって、どの指圧器にも対応可能な、適度にやわらかいグミ状の樹脂皮膜部材で構成された指圧突起カバーの指圧具。【選択図】図２
0003139628.tif 000002
【実用新案登録請求の範囲】
【請求項１】
対をなす指圧用突起の上面に適度にやわらかいグミ状の樹脂皮膜をのせ指圧用突起の下面に、ネジ式交換部材で作られた吸盤で構成された指圧具。
【請求項２】
従来既製の指圧器の、個々の指圧突起形状を合わせることによって、どの指圧器にも対応可能な、適度にやわらかいグミ状の樹脂皮膜部材で構成されたことを特徴とする指圧突起カバーの指圧具。
【考案の詳細な説明】
【技術分野】
【０００１】  本考案は、指圧機能の向上に関し、とくに神経痛やこりやストレスの治療あるいはリラクゼーションに用いて有効なものに関する。
【背景技術】
【０００２】  従来の技術として一般に行われている方法は、神経痛やこりやストレスの治療あるいは健康増進のため、患者のつぼを指圧したり、温湿布や温灸で患部を温めたりする手段は、いずれも効果があり昔より行われている。上記治療法のうち背中の指圧は、従来は患者自身で行うことは困難であったが、近年これを可能にした指圧器も既に提供されている。
【考案の開示】
【考案が解決しようとする課題】
【０００３】
【０００４】  突起に金属が用いられた指圧器がある。この指圧器を使用した人は、冷たさをかんじる。特に、冬場などの使用では冷たさが嫌われる。従来の指圧器が強すぎると感じている人がいる。
【考案が解決するための手段】
【０００５】  上記課題の解決する手段として、本考案は次の手段を提供する。
本考案はグミ状樹脂部材を使用することによって、やわらかな肌ざわりの奥に複数の押圧突起が控えてあり、それによって患部に押し当てることによる、指圧効果とリラクゼーション効果を同時にもたらすことができる。
【考案の効果】
【０００６】  肌ざわりと言うか当たりがやわらかいため、まくらにも、首、頭、背中にもやわらかで、また、お風呂の中でもリラックスした指圧が提供できる。
【考案を実施するための最良の形態】
【０００７】  図１〜５は、請求項１において、本考案に係る指圧具の第１実施形態を示すものである。樹脂部材の上面に押圧突起をしつらえ、その上面にグミ状樹脂部材をのせたもの、底面の下には、押圧突起の中心揃えでネジ式吸盤がある指圧具。
図６〜７は、請求項２において、本考案に係る指圧具の第２実施形態を示すものです。
在来一般用に、押圧突起の上にかぶせて使用するもの、樹脂部材の上面にグミ状樹脂部材をのせた押圧突起用キャップです。
【実施例】
【０００８】  図５は、請求項１において、本考案に係る指圧具の第１実施形態を示すものである。
【産業上の利用可能性】
【０００９】  本考案は多くの人のストレス、首、頭、背中、腰、足のだるさを解消できリラクゼイションもえられる。指圧具で使用者自身の体重を利用して指圧効果を発揮する。
【図面の簡単な説明】
【００１０】
【図１】本考案の第１の実施の形態を示す指圧具の断面図である。
【図２】本考案の第１の実施の形態を示す指圧具の斜視図である。
【図３】本考案の第１の実施の形態を示す指圧具の下面図である。
【図４】本考案の第１の実施の形態を示す指圧具の側面図である。
【図５】本考案の第１の実施の形態を示す指圧具の使用例を示した図である。
【図６】本考案の第２の実施の形態を示す指圧具の斜視図である。
【図７】本考案の第２の実施の形態を示す指圧具の断面図である。
【符号の説明】
【００１１】１  グミ状樹脂部材
２  樹脂部材
３  吸盤
４  止めピン
５  ネジ部材
【図１】
0003139628.tif 000003
【図２】
0003139628.tif 000004
【図３】
0003139628.tif 000005
【図４】
0003139628.tif 000006
【図５】
0003139628.tif 000007
【図６】
0003139628.tif 000008
【図７】
0003139628.tif 000009
【手続補正書】
【提出日】平成19年10月29日(2007.10.29)
【手続補正１】
【補正対象書類名】実用新案登録請求の範囲
【補正対象項目名】全文
【補正方法】変更
【補正の内容】
【実用新案登録請求の範囲】
【請求項１】
上面に２つの突起を有する、角丸でうす形の樹脂部材で形成された基台部の上に、適度にやわらかい肉厚のグミ状樹脂皮膜をのせ、基台部底面に設けたネジ穴に、ネジ部品を嵌合させ、ネジ部品に吸盤を結合させた構造を有することを特徴とする指圧具。
【請求項２】
指圧器の指圧突起部に使用する、段のあるサラダボールを伏せた形状の指圧突起カバーであって、カバー内側の指圧突起部との接触面は、硬質の樹脂部材からなり、その外側表面は、適度にやわらかいグミ状の樹脂皮膜部材からなることを特徴とする指圧突起カバーの指圧具。
【手続補正２】
【補正対象書類名】明細書
【補正対象項目名】全文
【補正方法】変更
【補正の内容】
【考案の詳細な説明】
【技術分野】
【０００１】  本考案は、指圧機能の向上に関し、特に神経痛やこりやストレスの治療、或はリラクゼーションに用いて有効なものに関する。
【背景技術】
【０００２】  従来の技術として一般的に行われている手段は、神経痛やこりやストレスの治療あるいは健康増進のため、患者のつぼを指圧したり、患部を温めたりすることである。上記治療法のうち、背中の指圧は患者自身で行う事が困難であったが、近年これを可能にした指圧器も既に提供されている。
【考案の開示】
【考案が解決しようとする課題】
【０００３】
【０００４】  突起に金属が用いられた指圧器がある。この指圧器を使用した人は、冷たさをかんじる。特に、冬場などの使用では冷たさが嫌われる。従来の指圧器が強すぎると感じている人がいる。
【考案が解決するための手段】
【０００５】  上記課題の解決する手段として、本考案は次の手段を提供する。
本考案はグミ状樹脂部材を使用することによって、やわらかな肌ざわりの奥に複数の押圧突起が控えてあり、それによって患部に押し当てることによる、指圧効果とリラクゼーション効果を同時にもたらすことができる。
【考案の効果】
【０００６】  本考案は耐水構造であり、肌に対する当たりがやわらかいので、お風呂の中でも枕にでき、また背中への指圧具としても活用できる。
【考案を実施するための最良の形態】
【０００７】  図１〜５は、請求項１において、本考案に係る指圧具の第１実施形態を示すものである。樹脂部材の上面に押圧突起をしつらえ、その上面にグミ状樹脂部材をのせたもの、底面の下には、押圧突起の中心揃えでネジ式吸盤がある指圧具。
図６〜７は、請求項２において、本考案に係る指圧具の第２実施形態を示すものです。
在来一般用に、押圧突起の上にかぶせて使用するもの、樹脂部材の上面にグミ状樹脂部材をのせた押圧突起用キャップです。
【実施例】
【０００８】  図５は、請求項１において、本考案に係る指圧具の第１実施形態を示すものである。
【産業上の利用可能性】
【０００９】  本考案は多くの人の首、頭、背中、腰、足のだるさや、ストレスを解消し、リラックスさせる指圧具で、使用者自身の体重を利用して指圧効果を発揮する。
【図面の簡単な説明】
【００１０】
【図１】本考案の第１の実施の形態を示す指圧具の断面図である。
【図２】本考案の第１の実施の形態を示す指圧具の斜視図である。
【図３】本考案の第１の実施の形態を示す指圧具の下面図である。
【図４】本考案の第１の実施の形態を示す指圧具の側面図である。
【図５】本考案の第１の実施の形態を示す指圧具の使用例を示した図である。
【図６】本考案の第２の実施の形態を示す指圧具の斜視図である。
【図７】本考案の第２の実施の形態を示す指圧具の断面図である。
【符号の説明】
【００１１】    １  グミ状樹脂部材
２  樹脂部材
３  吸盤
４  止めピン
５  ネジ部材
【手続補正３】
【補正対象書類名】図面
【補正対象項目名】全図
【補正方法】変更
【補正の内容】
【図１】
0003139628.tif 000010
【図２】
0003139628.tif 000011
【図３】
0003139628.tif 000012
【図４】
0003139628.tif 000013
【図５】
0003139628.tif 000014
【図６】
0003139628.tif 000015
【図７】
0003139628.tif 000016